(57)【要約】【課題】第１の信号が入力されたことと第２の信号が入力されたこととの誤認識を防止し、かつ短い判別期間で第１の信号が入力されたと判別することができる無線通信機を提供する。【解決手段】ＰＴＴキースイッチ信号とシリアルデータとを同一の入力端子を介して無線通信機を制御するＣＰＵへ導き、ＣＰＵに導かれた信号が低電位か否かを３ｍｓ毎にチェックし、該チェックにおいて低電位であると判別されたとき判別カウンタの計数値をインクリメントし、判別カウンタの計数値が２以上のときＣＰＵに導かれた信号がＰＴＴキースイッチ信号であると判別し、前記チェックにおいて低電位でないと判別されたとき、または前記計数値が予め定めた値未満のときＣＰＵに導かれた信号がＰＴＴキースイッチ信号でないと判別し、ＣＰＵに導かれた信号が予め定めたプロトコルと一致したとき前記判別カウンタの計数値を０にクリアする。【選択図】        図１
2004349896.tif 000002
【特許請求の範囲】
【請求項１】
第１の信号と第２の信号とを受信することが可能な無線通信機であって、
前記第１の信号と前記第２の信号とを同一の入力端子を介して無線通信機を制御する制御装置へ導き、前記制御装置に導かれた前記第１の信号のレベルが予め定めたレベルであるか否かを第２の信号の伝送速度に基づく時間的間隔毎にチェックし、該チェックにおいて前記第１の信号レベルが前記予め定めたレベル以上であると判別されたとき判別カウンタの計数値をインクリメントし、判別カウンタの計数値が予め定めた計数値以上のとき前記制御装置に導かれた信号が第１の信号であると判別し、前記チェックにおいて前記第１の信号レベルが前記予め定めたレベル未満であると判別されたとき、または前記計数値が予め定めた値未満のとき前記制御装置に導かれた信号が前記第１の信号でないと判別する判別手段を備えた無線通信機において、
前記制御装置に導かれた前記第２の信号が予め定めたプロトコルと一致したとき前記判別カウンタの計数値を０にクリアさせる判別カウンタ計数値クリア手段を備えたことを特徴とする無線通信機。
【請求項２】
入力音声による交信とクロック非同期のシリアルデータとを受信することが可能な無線通信機であって、
ＰＴＴキースイッチ信号と前記シリアルデータとを同一の入力端子を介して無線通信機を制御する制御装置へ導き、前記制御装置に導かれた信号のレベルがマイクロフォンから出力される音声信号を無線通信機へ送出させるためのレベルであるか否かをシリアルデータのデータ伝送速度に基づく時間的間隔毎にチェックし、該チェックにおいてマイクロフォンから出力される音声信号を無線通信機へ送出するためのレベルであると判別されたとき判別カウンタの計数値をインクリメントし、判別カウンタの計数値が予め定めた計数値以上のとき前記制御装置に導かれた信号がマイクロフォンから出力される音声信号を無線通信機へ送出するためのＰＴＴキースイッチ信号であると判別し、前記チェックにおいてマイクロフォンから出力される音声信号を無線通信機へ送出するためのレベルでないと判別されたとき、または前記計数値が予め定めた値未満のとき前記制御装置に導かれた信号がマイクロフォンから出力される音声信号を無線通信機へ送出するためのＰＴＴキースイッチ信号でないと判別する判別手段を備えた無線通信機において、
前記制御装置に導かれた信号が予め定めたプロトコルと一致したとき前記判別カウンタの計数値を０にクリアさせる判別カウンタ計数値クリア手段を備えたことを特徴とする無線通信機。
【発明の詳細な説明】
【０００１】
【発明の属する技術分野】
本発明は音声通信とデータ通信が可能な無線通信機に関する。
【０００２】
【従来の技術】
無線通信機のマイクロフォンに設けられたＰＴＴ（Ｐｕｓｈ  Ｔｏ  Ｔａｌｋ）キースイッチの信号線とデータ入力線とを選択的に共通にし、かつ無線通信機における周波数設定ための一つの信号線とデータ出力線とを選択的に共通にした無線通信機がある。
【０００３】
その一例は、トランシーバ、例えば無線通信機に接続されるリモートコントロール装置において、従来、電源投入時に続き、無線通信機とリモートコントロール装置とを接続する接続端子中における特定端子の電位状態を無線通信機がリモートコントロール可か否かに基づいて設定し、設定された電位状態によってリモートコントロール可の無線通信機であるか否かを判別している。
【０００４】
この判別によりリモートコントロール可の無線通信機であると判別したときは、無線通信機にデータ通信のソフトウエアが設けられていると判別して、ＰＴＴキースイッチの信号線と無線通信機の周波数減少設定信号線とをデータ転送線に設定し、リモートコントロール否の無線通信機であると判別されたときは、無線通信機にデータ通信のソフトウエアが設けられていないと判別して、ＰＴＴキースイッチの信号線をＰＴＴキースイッチの信号線に設定すると共に無線通信機の周波数減少設定信号線を無線通信機の周波数減少設定信号線に設定する。
【０００５】
このように、無線通信機のマイクロフォンに設けられたＰＴＴキースイッチの信号線とデータ入力線とを選択的に共用し、かつ無線通信機における周波数設定ための一つの信号線とデータ出力線とを選択的に共用しているものがある（例えば特許文献１参照）。
【０００６】
【特許文献１】
実公平６−１１６７６号公報（第２−３頁、第１−２図）。
【０００７】
しかし、上記した従来例では、信号線の共通化は図られているものの、信号線にて伝送されてくる信号の種別を無線通信機自体で判別することができなかった。
【０００８】
一方、無線通信機の外部端子の数には限りがあるため、シリアル通信用のポートとＰＴＴキースイッチ信号用のポートとを一つの入力端子で共通に使用している無線通信機がある。かかる無線通信機１１は、例えば、図２に示しように、信号線１を通してマイクロコンピュータ７から送信されてくるクロック非同期のシリアルデータと信号線２を通してＰＴＴキースイッチ８−１から送信されてくるＰＴＴキースイッチ信号とを無線通信機１１の一つの入力端子３にて受けている。
【０００９】
入力端子３は無線通信機１１に設けられて無線通信機１１を制御するための制御装置を形成するＣＰＵ４に接続され、入力端子３を介して入力されてきた信号をＣＰＵ４のＲｘｄ端子５およびＰＴＴ端子６に導き、ＣＰＵ４においてＲｄｘ端子５に入力された信号がシリアルデータに対する予め定めたプロトコルと一致するか否かを検知して、一致したときはシリアルデータであるとＣＰＵ４にて認識する。
【００１０】
図２において、符号８はマイクロフォンを示し、マイクロフォン８にＰＴＴスイッチ８−１が設けてあり、ＰＴＴキースイッチ８−１を押すことにより押している期間にわたり低電位の信号を、離すと高電位の信号をＰＴＴキースイッチ信号として送出する。ＰＴＴキースイッチ８−１が押されているときに入力された音声に基づく音声信号はマイクロフォン８から無線通信機１１の外部端子９を介して入力され、図示しない増幅器によって増幅のうえ変調信号として変調器１０に供給されて変調される。
【００１１】
一方、入力端子３に信号が入力されると、入力された信号を受けて図３に示すステップによって、ＰＴＴキースイッチ信号認識処理がなされてＰＴＴキースイッチ信号が否かがチェックされる。
【００１２】
ＰＴＴキースイッチ信号認識処理にはいると、シリアルデータのデータ伝送電送速度に基づく期間、例えばシリアルデータのデータ伝送電送速度が９６００ｂｐｓのときは３ｍｓ経過するのを待って（ステップＳ１）、ＰＴＴ端子６が低電位か否かがチェックされ（ステップＳ２）、低電位であると判別されたときはＣＰＵ４内に形成された判別カウンタの計数値がインクリメントされ（ステップＳ３）、判別カウンタの計数値が予め定めた値ｘ以上か否かがチェックされ（ステップＳ４）、予め定めた値ｘ以上であると判別されたときはＰＴＴキースイッチ８−１が押されていると判別され（ステップＳ５）、リターンされる。
【００１３】
ステップＳ２においてＰＴＴ端子６の電位が低電位でないときは判別カウンタの計数値は０にクリアされ（ステップＳ６）、ＰＴＴキースイッチ８−１は押されていないと判別され（ステップＳ７）、リターンされる。ステップＳ４において判別カウンタの計数値が前記予め定めた値ｘ未満のときはＰＴＴキースイッチ８−１は押されていないと判別されて（ステップＳ７）リターンされる。
【００１４】
上記のように、（３ｍｓ×予め定めた値ｘ）以上の期間にわたって、ＰＴＴキースイッチ信号が継続して低電位のときはＰＴＴキースイッチ８−１が押されたと判別している。ここで、シリアルデータの低電位期間との誤認を避けるために、例えば予め定めた値ｘは３以上に設定される。
【００１５】
【発明が解決しようとする課題】
しかしながら、上記したＰＴＴキースイッチ８−１が押されている期間により、ＰＴＴキースイッチが押されているか否かを判別するときは、長期間にわたるまで判別が終了しないという問題があった。また、この期間長すなわちステップＳ４における計数値を小さく設定すると、シリアルデータの低電位期間をＰＴＴキースイッチ信号の低電位期間と誤認することになるため、この判別のための期間を余り短くすることができないという問題点があった。
【００１６】
このように、第１の信号と第２の信号とを受信することが可能な無線通信機において、第１の信号と第２の信号との判別において誤認識を避けるために、判別のための期間長を短くすることができないという問題点があった。
【００１７】
本発明は、第１の信号が入力されたことと第２の信号が入力されたこととの誤認識を防止し、かつ短い判別期間で第１の信号と第２の信号との判別をすることができる無線通信機を提供することを目的とする。
【００１８】
【課題を解決するための手段】
本発明にかかる請求項１記載の無線通信機は、第１の信号と第２の信号とを受信することが可能な無線通信機であって、
前記第１の信号と前記第２の信号とを同一の入力端子を介して無線通信機を制御する制御装置へ導き、前記制御装置に導かれた前記第１の信号のレベルが予め定めたレベルであるか否かを第２の信号の伝送速度に基づく時間的間隔毎にチェックし、該チェックにおいて前記第１の信号レベルが前記予め定めたレベル以上であると判別されたとき判別カウンタの計数値をインクリメントし、判別カウンタの計数値が予め定めた計数値以上のとき前記制御装置に導かれた信号が第１の信号であると判別し、前記チェックにおいて前記第１の信号レベルが前記予め定めたレベル未満であると判別されたとき、または前記計数値が予め定めた値未満のとき前記制御装置に導かれた信号が前記第１の信号でないと判別する判別手段を備えた無線通信機において、
前記制御装置に導かれた前記第２の信号が予め定めたプロトコルと一致したとき前記判別カウンタの計数値を０にクリアさせる判別カウンタ計数値クリア手段を備えたことを特徴とする。
【００１９】
本発明にかかる請求項１記載の無線通信機によれば、判別手段において判別カウンタの計数値が０にクリアされたのと、制御装置に導かれた信号が予め定めたプロトコルと一致したとき判別カウンタ計数値クリア手段により判別カウンタの計数値が０にされたのとを区別することができるため、判別手段による判別において誤認識は防げることになる。また、判別のための期間も少なくすることができる。
【００２０】
本発明にかかる請求項２記載の無線通信機は、入力音声による交信とクロック非同期のシリアルデータとを受信することが可能な無線通信機であって、
ＰＴＴキースイッチ信号と前記シリアルデータとを同一の入力端子を介して無線通信機を制御する制御装置へ導き、前記制御装置に導かれた信号のレベルがマイクロフォンから出力される音声信号を無線通信機へ送出させるためのレベルであるか否かをシリアルデータのデータ伝送速度に基づく時間的間隔毎にチェックし、該チェックにおいてマイクロフォンから出力される音声信号を無線通信機へ送出するためのレベルであると判別されたとき判別カウンタの計数値をインクリメントし、判別カウンタの計数値が予め定めた計数値以上のとき前記制御装置に導かれた信号がマイクロフォンから出力される音声信号を無線通信機へ送出するためのＰＴＴキースイッチ信号であると判別し、前記チェックにおいてマイクロフォンから出力される音声信号を無線通信機へ送出するためのレベルでないと判別されたとき、または前記計数値が予め定めた値未満のとき前記制御装置に導かれた信号がマイクロフォンから出力される音声信号を無線通信機へ送出するためのＰＴＴキースイッチ信号でないと判別する判別手段を備えた無線通信機において、
前記制御装置に導かれた信号が予め定めたプロトコルと一致したとき前記判別カウンタの計数値を０にクリアさせる判別カウンタ計数値クリア手段を備えたことを特徴とする。
【００２１】
本発明の請求項２記載の無線通信機によれば、判別手段において判別カウンタの計数値が０にクリアされたのと、制御装置に導かれた信号が予め定めたプロトコルと一致したとき判別カウンタ計数値クリア手段により判別カウンタの計数値が０にされたのとを区別することができるため、判別手段による判別において誤認識は防げることになる。また、判別のための期間も少なくすることができる。
【００２２】
【発明の実施の形態】
以下、本発明にかかる無線通信機を実施の一形態によって説明する。
【００２３】
図１は本発明の実施の一形態にかかる無線通信機の構成を示すブロック図であり、従来の場合と同一の構成である。
【００２４】
本発明の実施の一形態にかかる無線通信機の構成は、前記したように図１に示した従来の場合と同様であり、重複を避けるためにその説明は省略する。
【００２５】
ＰＴＴキースイッチ信号認識処理についてのステップも図３の場合と同様であるが、ステップＳ４における判別カウンタの計数値は２に設定してある。
【００２６】
本発明の実施の一形態にかかる無線通信機においては、図１に示しように、シリアルデータ割り込み処理が実行されて、割り込み処理によって判別カウンタの計数値が０にクリアされる。
【００２７】
本発明の無線通信機１１では、図１に示すように、外部端子３から送出された信号が、Ｒｘｄ端子５に入力されると、入力された信号に対して予め定めたプロトコルと一致したか否かがＣＰＵ４にて判別されていて、プロトコルと一致したと判別されるとシリアルデータ割り込み処理がなされ（ステップＳ１１）、ステップＳ１１に続いて判別カウンタの計数値が０にクリアされ（ステップＳ１２）、ついで受信シリアルデータがＣＰＵ４内に設けられたバッファメモリに取り込まれて（ステップＳ１３）、リターンされる（ステップＳ１４）。
【００２８】
したがって、ＣＰＵ４ではシリアルデータ割り込み処理によって判別カウンタの計数値が０にクリアされたのと、ＰＴＴキースイッチ信号認識処理によって判別カウンタが０にクリアされたのとが区別されて、ＣＰＵ４においてＰＴＴキースイッチ８−１の操作の誤認識が防止できる。
【００２９】
このように、ＣＰＵ４ではシリアルデータ割り込み処理によって判別カウンタの計数値が０にクリアされたのと、ＰＴＴキースイッチ信号認識処理によって判別カウンタが０にクリアされたのとが区別されるために、ＰＴＴキースイッチ信号認識処理が実行される間隔およびＰＴＴキースイッチ８−１が押されていると判別するための判別カウンタの計数値ｘは、信号認識処理間隔がシリアルデータ１バイトのデータ伝送速度以上であれば、判別カウンタの計数値は２まで短縮することができる。
【００３０】
【発明の効果】
以上説明したように本発明にかかる無線通信機によれば、判別手段において判別カウンタの計数値が０にクリアされたのと、制御装置に導かれた信号が予め定めたプロトコルと一致したとき判別カウンタ計数値クリア手段により判別カウンタの計数値が０にされたのとを区別することができるため、判別手段による判別において誤認識は防げるこという効果が得られる。また、判別のための期間も少なくすることができるという効果が得られる。
【図面の簡単な説明】
【図１】本発明の実施の一形態にかかる無線通信機におけるシリアルデータ割り込み処理を説明するフローチャートである。
【図２】本発明の実施の一形態にかかる無線通信機の構成を示すブロック図である。
【図３】無線通信機におけるＰＴＴキースイッチ信号認識処理を説明するフローチャートである。
【符号の説明】
１および２  信号線
３  入力端子
４  ＣＰＵ
５  Ｒｘｄ端子
６  ＰＴＴ端子
７  マイクロコンピュータ
８  マイクロフォン
８−１  ＰＴＴキースイッチ
１１  無線通信機
【図１】
2004349896.tif 000003
【図２】
2004349896.tif 000004
【図３】
2004349896.tif 000005